(57)【要約】【課題】 低学年の学童が使用しやすい学童用ハサミを提供する。【解決手段】  刃部と、上記刃部の長さ方向後端部に延設されたリング状の把持部と、上記刃部と上記把持部との間に設けられた回動軸部とを有する一対の学童用ハサミ構成部材を備えた学童用ハサミであって、親指用把持部は、刃部の長さ方向に沿った延長線上に設けられていると共に、他の指用把持部は、刃部の長さ方向位置より幅方向外方に設けられている。【選択図】  図１
0003156663.tif 000002
【実用新案登録請求の範囲】
【請求項１】
刃部と、上記刃部の長さ方向後端部に延設されたリング状の把持部と、上記刃部と上記把持部との間に設けられた回動軸部とを有する一対の学童用ハサミ構成部材を備えた学童用ハサミであって、
親指用把持部は、刃部の長さ方向に沿った延長線上に設けられていると共に、他の指用把持部は、上記刃部の長さ方向位置より幅方向外方に設けられていることを特徴とする学童用ハサミ。
【請求項２】
上記親指用把持部の中心部位は、刃部の先端部と上記回動軸部とを結ぶ線上に位置することを特徴とする請求項１記載の学童用ハサミ。
【請求項３】
上記双方の把持部は、上記回動軸部に近接して設けられていることを特徴とする請求項２記載の学童用ハサミ。
【請求項４】
上記刃部の先端部から回動軸部への距離寸法と回動軸部と把持部との間の距離寸法との比率が、２：１以上であることを特徴とする請求項３記載の学童用ハサミ。
【請求項５】
上記他の指用把持部は、刃部の幅方向外方へ膨出する楕円形状に形成され、内方周面部には、把持時に人差し指が係合する内方突部が形成されていることを特徴とする請求項２記載の学童用ハサミ。
【請求項６】
上記他の指用把持部の後端部外方には、指を係止しうる突部が設けられていることを特徴とする請求項５記載の学童用ハサミ。
【考案の詳細な説明】
【技術分野】
【０００１】
本考案は学童用ハサミに係り、特に、手が小さい場合でも容易に刃部を大きく開くことができる学童用ハサミに関する。
【背景技術】
【０００２】
従来より、低学年の学童が使用するハサミとして、様々な形態のハサミが出回っているが、多くの従来の学童用ハサミは、把持部が軸部から外方にオフセットされて配設されている。
【０００３】
このような従来の学童用ハサミを低学年の学童が机の上で使用する場合、大人に比して座高が低いために、胸の高さで親指を上方に、他の指を下方にした状態でハサミを構えることとなる。
【０００４】
従来の学童用ハサミは、把持部、特に、親指用の把持部が、刃部先端部から軸部への延長線の刃部幅方向の外方にオフセットされて配設されているものが多い。
低学年の学童は座高も低く、椅子に着座して机に向かいハサミを使う場合には、机の上で切断作業を行うことから、概ね、胸の高さでハサミを使用することとなる。
この場合、上記のように親指用の把持部が刃部先端部から軸部への延長線の刃部幅方向の外方に配設されていた場合には、どうしても親指を高い位置で親指用把持部に挿通せざるをえず、結果的に、肘が上がってしまう不自然な姿勢になり、作業がしにくい、という不具合があった。
【０００５】
また、通常の低学年の学童の手が開く最大の間隔寸法を、例えば、７０ｍｍとして、双方の把持部の中心位置の間隔寸法を７０ｍｍに設定して計測した場合、従来の低学年の学童用ハサミは４８度〜５２度程度であり、一対の刃部が大きく開かないことから、切断対象物を挟みにくく、使いにくいものであった。
この原因は、従来のいずれの学童用ハサミも、一対の刃部を回動可能に固定する回動軸部から所定間隔寸法離間して把持部が配置されていることから、把持部に指を挿通して刃部を開いた場合でも、結果的に刃部は余り大きくは開かなかったためである。
【０００６】
従って、従来より、手の小さい低学年の学童であっても刃部を大きく開き、使用しやすいハサミが要請されていた。
【考案の開示】
【考案が解決しようとする課題】
【０００７】
本考案の課題は、低学年の学童が使用しやすい学童用ハサミを提供することにある。
【課題を解決するための手段】
【０００８】
上記課題を解決するために、請求項１の考案にあっては、刃部と、上記刃部の長さ方向後端部に延設されたリング状の把持部と、上記刃部と上記把持部との間に設けられた回動軸部とを有する一対の学童用ハサミ構成部材を備えた学童用ハサミであって、親指用把持部は、刃部の長さ方向に沿った延長線上に設けられていると共に、他の指用把持部は、刃部の長さ方向位置より幅方向外方に設けられていることを特徴とする。
【０００９】
従って、請求項１記載の考案にあっては、親指用把持部は、刃部の長さ方向に沿った延長線上に設けられていると共に、他の指用把持部は、刃部の長さ方向位置より幅方向外方に設けられていることから、低学年の学童が机に着座した状態で使用した場合でハサミを胸の前で構えた場合であっても、適当な高さで親指をハサミの親指用把持部に挿通することができると共に他の４本の指を下方で他の指用把持部に挿通させることができる。
【００１０】
請求項２記載の考案にあっては、上記親指用把持部の中心部位は、刃部の先端部と上記回動軸部とを結ぶ線上に位置することを特徴とする。
従って、親指用把持部と刃部とは一直線上に配置されており、親指の動きはダイレクトに刃部に伝達される。
【００１１】
請求項３記載の考案にあっては、上記双方の把持部は、上記回動軸部に近接して設けられていることを特徴とする。
従って、請求項３記載の考案にあっては、指を把持部に挿通させて使用した場合には、親指と他の指との間の小さな拡開動作でも刃部を大きく開放することができる。
【００１２】
請求項４記載の考案にあっては、上記刃部の先端部から回動軸部への距離寸法と回動軸部と把持部との間の距離寸法との比率が、２：１以上であることを特徴とする。従って、上記把持部は上記回動軸部に近接して設けられている。
請求項５記載の考案にあっては、上記他の指用把持部は、刃部の幅方向外方へ膨出する楕円形状に形成され、内方周面部には、把持時に人差し指が係合する内方突部が形成されていることを特徴とする。
従って、請求項５記載の考案にあっては他の指用把持部の内方突部には人差し指を係合させることができる。
【００１３】
請求項６記載の考案にあっては、上記他の指用把持部の後端部外方には、指を係止しうる突部が設けられていることを特徴とする。
上記他の指用把持部の後端部外方に設けられた突部に他の指を係合させることができる。
【考案の効果】
【００１４】
請求項１記載の考案にあっては、親指挿通用把持部は、刃部の長さ方向に沿った延長線上に設けられていると共に、他の指用把持部は、刃部の長さ方向位置より幅方向外方に設けられており、低学年の学童が机に着座した状態で使用した場合でハサミを胸の前で構えた場合であっても、適当な高さで親指をハサミの親指用把持部に挿通することができると共に短の４本の指を下方で他の指用把持部に挿通させることができることから、低学年の学童が机に着座した状態で使用した場合でハサミを胸の前で構えた場合であっても、刃部を開いた場合に親指の位置が大きく上方に上がってしまうことはなく、低学年の学童が使用した場合であっても、使用する学童の体格に合致した、使いやすい学童用ハサミを提供することができる。
【００１５】
請求項２記載の考案にあっては、上記親指用把持部の中心部位は、刃部の先端部と上記回動軸部とを結ぶ線上に位置し、親指用把持部と刃部とは一直線上に配置されており、親指の動きはダイレクトに刃部に伝達されることから、低学年の学童であっても、親指の動きで刃部をコントロールしやすいハサミを提供することができる。
請求項３及び４記載の考案にあっては、指を把持部に挿通させて使用した場合には、親指と他の指との間の小さな拡開動作でも刃部を大きく開放することができるため、指の大きさが未だ小さい低学年の学童が使用した場合であっても、刃部を大きく拡開させることができ、切断対象物を挟む場合に使いやすい学童用ハサミを提供することができる。
【００１６】
また、把持部から刃部までの間隔寸法が短いため、切断対象物を切る際に、切る部位を明確に視認することができ、安全な学童用ハサミを提供することができる。
請求項５記載の考案にあっては、他の指用把持部の内方周面部には、把持時に人差し指が係合する内方突部が形成されていることから、使用時に、人差し指がしっかりと固定されるため、把持部をしっかりと把持することができ、使用者の意図する進行方向に沿ってハサミを動かすことができる。
【００１７】
請求項６記載の考案にあっては、上記他の指用把持部の後端部外方に設けられた突部に他の指を係合させることができるため、使用時に指の配置の自由度を確保することができ、より使いやすい学童用ハサミを提供することができる。
【図面の簡単な説明】
【００１８】
【図１】本考案に係る学童用ハサミの一実施の形態を示す側面図である。
【図２】本考案に係る学童用ハサミの一実施の形態を示す側面図であって、ケースに収納された状態を示す図である。
【図３】本考案に係る学童用ハサミの一実施の形態を示す側面図であって、ケースに収納された状態を示す図である。
【考案を実施するための最良の形態】
【００１９】
以下、添付図面に示す実施の形態に基づき本考案を詳細に説明する。
図１に示すように、本実施の形態に係る学童用ハサミ１０は、刃部１１ａ、１１ｂと、上記刃部１１ａ、１１ｂの長さ方向後端部に延設されたリング状の把持部１２、１３と、上記刃部１１ａ、１１ｂと上記把持部１２、１３との間に設けられた回動軸部１４とを有している。
【００２０】
親指用把持部１２は、刃部１１の長さ方向に沿った延長線上に設けられていると共に、他の指用把持部１３は、刃部１１の長さ方向位置より幅方向外方に設けられている。
即ち、親指用把持部１２側の刃部１１ａの基端部には、上記刃部１１ａから直線状に延設された基部１１ｃが設けられ、上記基部１１ｃに親指用把持部１２が固定されている。
【００２１】
一方、他の指用把持部１３側の刃部１１ｂの基端部側には、刃部１１ｂの幅方向外方へ折曲された基部１１ｄが設けられ、上記基部１１ｄに他の指用把持部１３が固定されている。
上記親指用把持部１２の中心部位１０は、刃部１１ａの先端部１５と上記回動軸部１４とを結ぶ線Ａ上に位置している。
【００２２】
上記双方の把持部１２、１３は、上記回動軸部１４に近接して設けられている。即ち、本実施の形態にあっては、上記刃部１１ａの先端部１５から回動軸部１４への距離寸法と回動軸部と把持部との間の距離寸法との比率が、２.５：１で設けられている。
【００２３】
本実施の形態にあっては、上記親指用把持部１２及び他の指用把持部１３は合成樹脂製であって、上記刃部１１よりも厚さ寸法は大きく形成されている。上記親指用把持部１２は側面楕円形状に形成されると共に、他の指用把持部１３は、刃部１１の外方へやや膨らんで変形した形状の楕円形状に形成されてい
る。
【００２４】
また、本実施の形態にあっては、いずれの把持部１２、１３においても、内周面部にはソフトな感触を覚えるエラストマー層１９が全周に亘って形成され、使用時に、把持部１２、１３に指を挿通した際に、ソフトなタッチを得られるように構成されている。
【００２５】
上記他の指用把持部１３は、刃部１１の幅方向外方へ膨出する楕円形状に形成され、内方周面部には、把持時に人差し指が係合する内方突部１６が形成されている。また、上記他の指用把持部１３の後端部外方周面部には、指を係止しうる外方突部１７が設けられている。
【００２６】
上記他の指用把持部１３の先端部は、上記基部１１ｄの幅方向に沿う外方周面部１８が形成されており、この外方周面部１８は、上記親指用把持部側の刃部１１ａが開放した場合に、当接して最大開放位置を規制するように機能する。
また、本実施の形態にあっては、上記一対の刃部１１ａ、１１ｂの先端部はラウンド形状となっていると共に、刃部１１ａ、１１ｂにはフッ素加工が施され、切断物である紙、紙に付着したのり、その他テープが刃部１１ａ、１１ｂに張り付きにくいように形成されている。
また、本実施の形態にあっては、刃部１１ａ、１１ｂの先端部はラウンド形状に形成され、学童の指を傷つけることがないように形成されている。
【００２７】
上記回動軸部１４には、後述のケース２０の対向突起２５、２５に係止しうる一対の係止突起２３、２３が径方向に形成されている。
図２に示すように、本実施の形態に係るハサミ１０は、非使用時には、ケース２０に収納されている。本実施の形態に係るケース２０は、全体鞘状に形成され、刃部１１ａ、１１ｂの全体を被覆できる長さ寸法であると共に、一対の刃部１１ａ、１１ｂを閉止した状態で収納できる幅寸法に形成されている。
【００２８】
上記一側面部３０の上記開口部２１側端部には、ケース２０内に学童用ハサミ１０を収納した際に、学童用ハサミ１０をケース２０に係合固定するための、係合部２２が設けられている。この係合部２２は、学童用ハサミ１０がケース２０に収納された場合には、回動軸部１４の係止突起２３、２３が係合する一対の対向突起２５，２５と、上記対向突起２５、２５に連続する回動軸部１４の収納部２７と、ケース２０内に収納された学童用ハサミ１０をケース２０から取り出す際に、上記回動軸部１４の係止突起２３、２３の、上記対向突起２５、２５との係合を迅速に解除しうる係合解除用ボタン部２６とを備えている。
上記一対の対向突起２５、２５は、上記一側面部３０の開口側端縁に形成されており、互いに対向して形成され、上記回動軸部１４の一対の係止突起２３、２３の幅寸法よりもやや小さい間隔寸法を以って形成されている。
また、上記係合解除用ボタン部２６は、上記回動軸部１４の収納部２７に、長さ方向に沿って連設された２本のスリット３１、３１により画成され、アーム部２６ａと、上記アーム部２６ａの先端部に形成されたボタン部２８とからなる。
上記ボタン部２８は、図３に示すように、上記一側面部３０の一般面から厚さ方向外方に突出して折曲形成され、斜折曲部２９が形成されている。
従って、上記学童用ハサミ１０を上記ケース２０内に収納する場合には、上記刃部１１ａ、１１ｂをケース２０内に挿入し、上記回動軸部１４の係止突起２３、２３を上記対向突起２５、２５に係合させて、回動軸部１４が上記収納部２７内に配置されるまで押し込む。
これにより、上記係止突起２３、２３が上記対向突起２５、２５に係合していることから、学童用ハサミ１０はケース２０内に、固定された状態で収納される。
【００２９】
以下、本実施の形態に係る学童用ハサミ１０の作用について説明する。
本実施の形態に係る学童用ハサミ１０を使用する場合には、上記ボタン部２８を回動軸部１４に向かって押した場合には、上記斜折曲部２９が上記回動軸部１４の下端部を押圧し、回動軸部１４は図面上方へ移動して、係止突起２３、２３の上記対向突起２５、２５との係合は解除され、その結果、学童用ハサミ１０をケース２０から抜き出すことができる。
【００３０】
親指を上記親指用把持部１２の孔部に挿通させると共に、親指以外の４本の指を他の指用挿通部１３の孔部に挿通させて、人差し指を上記内方突部１６に係止させるようにして把持する。この状態で紙等の被切断対象物を切断する。
この場合、本実施の形態に係る学童用ハサミ１０は、上記のように、親指挿通用把持部１２は、刃部１１の長さ方向に沿った延長線上、特に、親指用把持部１２の中心部位Ｘは刃部１１ａの先端部１５と上記回動軸部１４とを結ぶ線Ａ上に位置していると共に、他の指用把持部１３は、刃部１１の長さ方向位置より幅方向外方に設けられていることから、低学年の学童が机に着座した状態で使用した場合でハサミを胸の前で構えた場合であっても、刃部１１を開いた場合に親指の位置が大きく上方に上がってしまうことはないため、低学年の学童が使用した場合であっても、使用する学童の体格に合致した、使いやすい学童用ハサミである。
【００３１】
また、指を把持部１２、１３に挿通させて使用した場合には、上記刃部１１の先端部１５から回動軸部１４への距離寸法と回動軸部と把持部との間の距離寸法との比率が、２.５：１で設けられており、上記把持部１２、１３が回動軸部１４に対して相対的に近接して設けられていることから、親指と他の指との間の小さな拡開動作でも刃部１１を大きく開放することができるため、指の大きさが未だ小さい低学年の学童が使用した場合であっても、刃部を大きく拡開させることができ、切断対象物を挟む場合に使用しやすい。
【００３２】
また、把持部１２、１３から刃部１１までの間隔寸法が短いため、切断対象物を切る際に、切る部位を明確に視認することができる。
また、他の指用把持部１３の内方周面部には、把持時に人差し指が係合する内方突部１６が形成されていることから、使用時に、人差し指がしっかりと固定されるため、他の指用把持部１３をしっかりと把持することができ、使用者の意図する進行方向に沿ってハサミを動かすことができる。
【００３３】
さらに、上記他の指用把持部１３の後端部外方に設けられた外方突起１７に他の指、例えば、小指を係合させることができるため、使用時に指の配置の自由度を確保することができる。
【００３４】
また、上記のように、本実施の形態に係る学童用ハサミ１０にあっては、非使用時には、回動軸部１４の係止突起２３、２３がケース２０の係合部２２の対向突起２５、２５に係合させることにより、ケース２０に収納することができる。
このようにして、学童用ハサミ１０をケース２０内に収納した場合には、上記回動軸部１４の係止突起２３、２３がケース２０の係合部２２の対向突起２５、２５に係合していることから、学童用ハサミ１０は上記ケース２０内に確実に収納され、脱落することはないため、低学年の学童の使用に際し、持ち運ぶ場合にも、刃部１１が開いて刃部１１により手を傷つける等の事故の発生がなく、安全である。
また、使用時には、上記のように、上記ボタン部２８を回動軸部１４に向かって押し込んだ場合には、上記斜折曲部２９が上記回動軸部１４の下端部を押圧し、回動軸部１４は図面上方へ移動して、係止突起２３、２３の上記内方突起２５、２５との係合は解除されることから、低学年の学童であっても、学童用ハサミ１０をケース２０から容易に抜き出すことができる。
【００３５】
さらに、本実施の形態にあっては、上記のように、他の指用把持部１３の先端部は、上記基部１１ｄの幅方向に沿う外方周面部１８が形成されており、この外方周面部１８は、上記親指用把持部側の刃部１１ａが開放した場合に、当接して最大開放位置を規制するように機能するように構成されていることから、低学年の学童の小さな手でも大きく刃部１１を拡開することができるが、所定の角度以上は開かないように構成されており、安全である。
本実施の形態に係る学童用ハサミ１０にあっては、上記のように親指挿通部１２及び他の指挿通部１３の双方の内周面部にエラストマー層１９が全周に亘って形成されると共に、刃部１１にフッ素加工が施されている場合を例に説明したが、上記実施の形態に限定されない。
【産業上の利用可能性】
【００３６】
本考案は、広く低学年の学童用のハサミに広く適用することができる。
【符号の説明】
【００３７】
１０  学童用ハサミ
１１  刃部
１２  親指用把持部
１３  他の指用把持部
１４  回動軸部
１５  先端部
１６  内方突起
１７  外方突起
１８  外方周面部
１９  エラストマー層
２０  ケース
２１  開口部
２２  係合部
２３  係止突起
２５  対向突起
２６  係合解除用ボタン部
２７  収納部
２８  ボタン部
２９  斜折曲部
３０  一側面部
３１  スリット
Ｘ    中心部位
Ａ    刃部先端部と上記回動軸部とを結ぶ線
【図１】
0003156663.tif 000003
【図２】
0003156663.tif 000004
【図３】
0003156663.tif 000005